(57)【要約】      （修正有）【課題】被支持体の起立姿勢の角度調整を十分に行うことができ、なおかつ持ち運びしやすいスタンドを提供する。【解決手段】スタンド１は、被支持体１０と支持体１１を備える。支持体は、固定部２０と、第１の接続部２２と、第２の接続部２４と、支持部２６を有する。支持体は、支持部が被支持体の裏面の所定の位置に面ファスナーで接着しつつ、第１の接続部及び第２の接続部が第１の屈曲部２１及び第３の屈曲部２５において被支持体の裏面から離れる方向に屈曲し第２の屈曲部２３に接地点Ｐを形成して、被支持体を起立姿勢で支持する第１の形態と、固定部、第１の接続部、第２の接続部及び支持部が直線状に延びて被支持体の裏面に合わせられる第２の形態に変形自在に構成され、被支持体の裏面における支持部の接着位置を起立方向に変更することで被支持体の起立傾斜角度を変更できる。【選択図】図２
0003226426.tif 000002
【実用新案登録請求の範囲】
【請求項１】
板状の被支持体と、
前記被支持体の第１の端部が下、第２の端部が上になるような起立姿勢で前記被支持体を支持する支持体と、を備え、
前記支持体は、
前記被支持体の裏面の第１の端部に固定された固定部と、
前記固定部における前記被支持体の第２の端部側の端に第１の屈曲部を介して接続された第１の接続部と、
前記第１の接続部における前記被支持体の第２の端部側の端に第２の屈曲部を介して接続された第２の接続部と、
前記第２の接続部における前記被支持体の第２の端部側の端に第３の屈曲部を介して接続され、前記被支持体の裏面に接着可能な支持部と、を有し、
前記支持部が前記被支持体の裏面の所定の位置に接着しつつ、前記第１の接続部及び前記第２の接続部が前記第１の屈曲部及び前記第３の屈曲部において前記被支持体の裏面から離れる方向に屈曲し前記第２の屈曲部に接地点を形成して、前記被支持体を起立姿勢で支持する第１の形態と、前記固定部、前記第１の接続部、前記第２の接続部及び前記支持部が直線状に延びて前記被支持体の裏面に合わせられる第２の形態に変形自在に構成され、なおかつ前記第１の形態において、前記被支持体の裏面における前記支持部の接着位置を起立方向に変更することで前記被支持体の起立姿勢の傾斜角度を変更自在に構成されている、スタンド。
【請求項２】
前記支持部を前記被支持体の裏面の起立方向の任意の位置に着脱可能にする着脱機構を備えた、請求項１に記載のスタンド。
【請求項３】
前記着脱機構は、面ファスナー又はマグネットにより構成されている、請求項２に記載のスタンド。
【請求項４】
前記第２の形態における前記支持体の起立方向の全長は、前記被支持体の起立方向の全長と同じか、それより短い、請求項１から３のいずれか一項に記載のスタンド。
【請求項５】
前記固定部、前記第１の接続部、前記第２の接続部及び前記支持部はそれぞれ板形状を有し、前記支持体は板形状を有する、請求項１から４のいずれか一項に記載のスタンド。
【請求項６】
前記被支持体は、画用紙を保持するものである、請求項１から５のいずれか一項に記載のスタンド。
【請求項７】
前記被支持体は鏡を有するものである、請求項１から５のいずれか一項に記載のスタンド。
【考案の詳細な説明】
【技術分野】
【０００１】
本考案は、被支持体と支持体を備えたスタンドに関する。
【背景技術】
【０００２】
写生用のキャンバスを置く矩形枠や鏡のような被支持体と、その被支持体を起立姿勢に支持する支持体を備えたスタンドがある。
【０００３】
例えばキャンバスを支持するスタンドである、いわゆるイーゼルは、矩形枠を複数の傾斜角度に設定する機能を備えている（特許文献１参照）。この種のイーゼルは、矩形枠に対し支持枠を軸支し、その支持枠を基底枠の複数の溝のいずれかに嵌め込むことで矩形枠の傾斜角度を変更する機構を有している。
【０００４】
鏡を支持するスタンドは、支持体に対し鏡を軸支して、鏡の傾斜角度を変更可能なものがある（特許文献２参照）。
【先行技術文献】
【特許文献】
【０００５】
【特許文献１】特開２００９−２２７１１号公報
【特許文献２】特開２０１８−９４５６３号公報
【特許文献３】実用新案登録第３１９６３６１号公報
【考案の概要】
【考案が解決しようとする課題】
【０００６】
しかしながら、上述のイーゼルのスタンドは、矩形枠の傾斜角度を変更する機構が大掛かりで、全体として大型となるため、持ち運びにくい。
【０００７】
上述の鏡を支持するスタンドは、鏡が支持体に対し意図せず回動したり、鏡が傾斜した状態で持ち運ぶ必要があるため、持ち運びにくい。この点、鏡のスタンドには、支持体と鏡を軸支せずに、鏡面部と保持部を三角状に繋げてＣＤケース状に折り畳み可能に構成されたものもある（特許文献３参照）が、これは、鏡面部の可動範囲が限られるため、鏡面部の角度調整を十分に行うことができない。
【０００８】
本考案はかかる点に鑑みてなされたものであり、イーゼルの矩形枠や鏡のような被支持体の起立姿勢の角度調整を十分に行うことができ、なおかつ持ち運びしやすいスタンドを提供することをその目的とする。
【課題を解決するための手段】
【０００９】
本考案の一態様に係るスタンドは、板状の被支持体と、被支持体の第１の端部が下、第２の端部が上になるような起立姿勢で被支持体を支持する支持体と、を備え、支持体は、被支持体の裏面の第１の端部に固定された固定部と、固定部における被支持体の第２の端部側の端に第１の屈曲部を介して接続された第１の接続部と、第１の接続部における被支持体の第２の端部側の端に第２の屈曲部を介して接続された第２の接続部と、第２の接続部における被支持体の第２の端部側の端に第３の屈曲部を介して接続され、被支持体の裏面に接着可能な支持部と、を有し、支持部が被支持体の裏面の所定の位置に接着しつつ、第１の接続部及び第２の接続部が第１の屈曲部及び第３の屈曲部において被支持体の裏面から離れる方向に屈曲し第２の屈曲部に接地点を形成して、被支持体を起立姿勢で支持する第１の形態と、固定部、第１の接続部、第２の接続部及び支持部が直線状に延びて被支持体の裏面に合わせられる第２の形態に変形自在に構成され、なおかつ第１の形態において、被支持体の裏面における支持部の接着位置を起立方向に変更することで被支持体の起立姿勢の傾斜角度を変更自在に構成されている。
【００１０】
本態様によれば、被支持体の角度調整を十分に行うことができ、なおかつ持ち運びしやすいスタンドを提供することができる。
【００１１】
上記スタンドは、支持部を被支持体の裏面の起立方向の任意の位置に着脱可能にする着脱機構を備えるようにしてもよい。
【００１２】
着脱機構は、面ファスナー又はマグネットにより構成されていてもよい。
【００１３】
第２の形態における支持体の起立方向の全長は、被支持体の起立方向の全長と同じか、それより短くてもよい。
【００１４】
固定部、第１の接続部、第２の接続部及び支持部はそれぞれ板形状を有し、支持体は板形状を有するようにしてもよい。
【００１５】
被支持体は、画用紙を保持するものであってもよい。
【００１６】
被支持体は鏡を有するものであってもよい。
【考案の効果】
【００１７】
本考案によれば、被支持体の角度調整を十分に行うことができ、なおかつ持ち運びしやすいスタンドを提供することができる。
【図面の簡単な説明】
【００１８】
【図１】被支持体を起立姿勢にした第１の形態のスタンドを表面側から見た斜視図である。
【図２】第１の形態のスタンドを裏面側から見た斜視図である。
【図３】被支持体を寝かせた第２の形態のスタンドの表面側を示す斜視図である。
【図４】第２の形態のスタンドの裏面側を示す斜視図である。
【図５】被支持体と支持体を開いた状態のスタンドの内面を示す図である。
【図６】第１の形態のスタンドを側面から見た図である。
【図７】マグネットを用いる場合の被支持体と支持体を開いた状態のスタンドの内面を示す図である。
【図８】卓上鏡であるスタンドを表面側から見た斜視図である。
【図９】卓上鏡であるスタンドを裏面側から見た斜視図である。
【図１０】マグネットを用いる場合の卓上鏡であるスタンドを裏面側から見た斜視図である。
【図１１】被支持体がフォトボックスの場合のスタンドの一例を示す斜視図である。
【考案を実施するための形態】
【００１９】
以下、図面を参照して、本考案の好ましい実施の形態について説明する。なお、同一の要素には同一の符号を付し、重複する説明を省略する。さらに、図面の寸法比率は、図示の比率に限定されるものではない。また、以下の実施の形態は、本考案を説明するための例示であり、本考案はこの実施の形態に限定されるものではない。
【００２０】
図１は、被支持体１０を起立姿勢にした第１の形態のスタンド１の表面側を示す斜視図であり、図２は、第１の形態のスタンド１の裏面側を示す斜視図である。図３は、被支持体１０を寝かせた第２の形態のスタンド１の表面側を示す斜視図であり、図４は、第２の形態のスタンド１の裏面側を示す斜視図である。
【００２１】
図１及び図２に示すようにスタンド１は、例えば板状の被支持体１０と、被支持体１０を起立姿勢で支持する支持体１１を備えている。
【００２２】
被支持体１０は、方形の板形状を有し、木、紙、樹脂等で構成されている。なお、本明細書において、スタンド１に関する「上」、「下」、「水平」、は、図１及び図２に示すような被支持体１０の起立姿勢を基準にする。
【００２３】
支持体１１は、被支持体１０の裏面１０ａの下端部１０ｂに固定された固定部２０と、固定部２０の上端２０ａに第１の屈曲部２１を介して接続された第１の接続部２２と、第１の接続部２２の固定部２０と反対側の先端２２ａに第２の屈曲部２３を介して接続された第２の接続部２４と、第２の接続部２４の上端２４ａに第３の屈曲部２５を介して接続された支持部２６とを有している。固定部２０、第１の接続部２２、第２の接続部２４及び支持部２６の接続方法は、特に限定されるものではなく、蝶番、縫製、接着シートなどを用いた公知の接続方法が用いられている。
【００２４】
図２及び図４に示すように固定部２０は、長方形の板状に形成されている。固定部２０は、被支持体１０と同程度の左右方向Ｙの長さを有している。固定部２０は、被支持体１０の例えば１／５以下程度の起立方向（起立姿勢のときに上下方向に向く被支持体１０の表面に沿った方向）Ｘの長さを有している。固定部２０は、接着剤等により被支持体１０の下端部１０ｂに接着されている。なお、下端部１０ｂは、被支持体１０の下端に近い部分であればよい。
【００２５】
第１の接続部２２は、長方形の板状に形成されている。第１の接続部２２は、被支持体１０と同程度の左右方向Ｙの長さを有している。第１の接続部２２は、図４に示すように被支持体１０の例えば１／４以上１／３以下程度の起立方向Ｘの長さを有している。第１の接続部２２の起立方向Ｘの長さは、例えば固定部２０の起立方向Ｘの長さよりも長い。
【００２６】
図２及び図４に示すように固定部２０と第１の接続部２２の間には、左右方向Ｙに延びる接続線が形成され、その接続線が第１の屈曲部２１になっている。第１の屈曲部２１は、第１の接続部２２が固定部２０に対し直線状に延びた位置（図４の位置）から被支持体１０の裏面１０ａから離れる方向に例えば９０度以上回動することができるように構成されている。
【００２７】
図２及び図４に示すように第２の接続部２４は、長方形の板状に形成されている。第２の接続部２４は、被支持体１０と同程度の左右方向Ｙの長さを有している。第２の接続部２４は、図４に示すように被支持体１０の例えば１／３以上１／２以下程度の起立方向Ｘの長さを有している。第２の接続部２４の起立方向Ｘの長さは、第１の接続部２２の起立方向Ｘの長さよりも長い。
【００２８】
図２及び図４に示すように第１の接続部２２と第２の接続部２４の間には、左右方向Ｙに延びる接続線が形成され、その接続線が第２の屈曲部２３になっている。第２の屈曲部２３は、第２の接続部２４が第１の接続部２２に対し直線状に延びた位置（図４の位置）から被支持体１０の裏面１０ａに近づく方向に例えば９０度以上回動することができるように構成されている。
【００２９】
図２及び図４に示すように支持部２６は、長方形の板状に形成されている。支持部２６は、被支持体１０と同程度の左右方向Ｙの長さを有している。支持部２６は、被支持体１０の例えば１／４以下程度の起立方向Ｘの長さを有している。
【００３０】
支持部２６と第２の接続部２４の間には、左右方向Ｙに延びる接続線が形成され、その接続線が第３の屈曲部２５になっている。第３の屈曲部２５は、第２の接続部２４が支持部２６に対し直線状に延びた位置（図４の位置）から被支持体１０の裏面から離れる方向に例えば９０度以上回動することができるように構成されている。
【００３１】
支持体１１の全体は、図３及び図４に示す第２の形態において被支持体１０と同じ大きさで同じ方形の板形状を有している。支持体１１の起立方向Ｘの全長は、被支持体１０の起立方向Ｘの全長と同じである。
【００３２】
図２及び図５に示すように支持部２６の内面（被支持体１０の裏面１０ａに対向する面）２６ａには、面ファスナー３０が取り付けられている。面ファスナー３０は、例えば支持部２６の内面２６ａの左右方向Ｙの中央に取り付けられている。また、被支持体１０の裏面１０ａには、面ファスナー３０に着脱自在な面ファスナー３１が取り付けられている。面ファスナー３０、３１は、一方がループ状で他方がフック状に構成され、互いに着脱自在ある。面ファスナー３１は、起立方向Ｘに沿って長い直線状に形成されている。面ファスナー３１は、例えば被支持体１０の裏面１０ａにおいて上端部１０ｃから支持体１１の固定部２０まで連続的に延設されている。これにより、支持部２６は、被支持体１０の上端部１０ｃから固定部２０までの任意の位置に着脱することができる。なお、本実施の形態においては、面ファスナー３０及び３１が着脱機構を構成している。
【００３３】
以上の構成の支持体１１は、図１、図２及び図６に示すように支持部２６が被支持体１０の裏面１０ａの所定の位置に接着しつつ、第１の接続部２２及び第２の接続部２４が第１の屈曲部２１及び第３の屈曲部２５において被支持体１０の裏面１０ａから離れる方向に屈曲し第２の屈曲部２３に接地点Ｐを形成して、被支持体１０を起立姿勢で支持する第１の形態と、図３及び図４に示すように固定部２０、第１の接続部２２、第２の接続部２４及び支持部２６が直線状に延びて被支持体１０の裏面１０ａに合わせられる第２の形態に変形自在である。
【００３４】
また支持体１１は、図６に示すように被支持体１０の裏面１０ａにおける支持部２６の接着位置を起立方向Ｘに変更することで被支持体１０の起立姿勢の傾斜角度αを変更することができる。
【００３５】
次に、以上のように構成されたスタンド１の動作について説明する。例えばスタンド１の不使用時、或いは被支持体１０を寝かした状態（起立させない状態）でスタンド１を使用する際には、図４に示したように支持体１１の固定部２０、第１の接続部２２、第２の接続部２４及び支持部２６を直線状に延ばして支持体１１を一枚の板状にし、その支持体１１を被支持体１０の裏面１０ａに合わせる（第２の形態）。このとき、支持部２６は、面ファスナー３０、３１により被支持体１０の上端部１０ｃに接着する。
【００３６】
被支持体１０を起立姿勢にした状態でスタンド１を使用する際には、図１、図２及び図６に示すように支持体１１の第１の接続部２２及び第２の接続部２４を第１の屈曲部２１及び第３の屈曲部２５において被支持体１０の裏面１０ａから離れる方向に屈曲させ第２の屈曲部２３に接地点Ｐを形成しつつ、支持部２６を被支持体１０の裏面１０ａの所定の位置に接着させて固定する。これにより被支持体１０が支持体１１により所定の傾斜角度αの起立姿勢で支持される（第１の形態）。また、必要に応じて被支持体１０の裏面１０ａにおける支持部の接着位置を起立方向Ｘに変更して被支持体１０の起立姿勢の傾斜角度を調整する。
【００３７】
本実施の形態によれば、スタンド１の支持部１１が、屈曲部２１、２３、２５で互いに接続された固定部２０と、第１の接続部２２と、第２の接続部２４と、支持部２６を有し、支持部２６が被支持体１０の裏面１０ａの所定の位置に接着しつつ、第１の接続部２２及び第２の接続部２４が第１の屈曲部２１及び第３の屈曲部２５において被支持体１０の裏面１０ａから離れる方向に屈曲し第２の屈曲部２３に接地点Ｐを形成して、被支持体１０を起立姿勢で支持する第１の形態と、固定部２０、第１の接続部２２、第２の接続部２４及び支持部２６が直線状に延びて被支持体１０の裏面１０ａに合わせられる第２の形態に変形自在に構成されている。また支持部１１は、第１の形態において、被支持体１０の裏面１０ａにおける支持部２６の接着位置を起立方向Ｘに変更することで被支持体１０の起立姿勢の傾斜角度を変更自在に構成されている。この結果、被支持体１０の起立姿勢の角度調整を十分に行うことができ、なおかつ持ち運びしやすいスタンド１を提供することができる。
【００３８】
スタンド１は、支持部２６を被支持体１０の裏面１０ａの起立方向Ｘの任意の位置に着脱可能にする着脱機構を備えているので、被支持体１０の起立姿勢の傾斜角度αを連続的に細かく調整することができる。
【００３９】
着脱機構は、面ファスナーに３０、３１より構成されているので、スタンド１の製造コストを安価にすることができる。
【００４０】
第２の形態における支持体１１の起立方向Ｘの全長は、被支持体１０の起立方向Ｘの全長と同じであるので、第２の形態において、支持体１１が被支持体１０の上端から突出することがなく、スタンド１の持ち運びがさらに容易になる。なお、支持体１１の起立方向Ｘの全長は、被支持体１０の起立方向Ｘの全長よりも短くてもよい。
【００４１】
固定部２０、第１の接続部２２、第２の接続部２４及び支持部２６はそれぞれ板形状を有し、支持体１１は板形状を有するので、支持体１１を被支持体１０と合わせたときにスタンド１全体が薄くなりさらに持ち運びしやすくなる。
【００４２】
本実施の形態で記載した支持部２６と被支持体１０の裏面１０ａとを着脱する着脱機構は、面ファスナー３０、３１であったが、これに限られずマグネットで構成されていてもよい。かかる場合、例えば図７に示すように被支持体１０の裏面１０ａを磁性体の鉄板５０で構成し、支持部２６の内面２６ａや内部にマグネット５１を取り付ける。こうすることにより、支持部２６を被支持体１０の裏面１０ａの起立方向Ｘに沿って自由に動かして、支持部２６を被支持体１０の起立方向Ｘの所望の位置に接着させることができる。
【００４３】
上記実施の形態で記載したスタンド１は、例えばイーゼルとして使用する。この場合、被支持体１０を画用紙を保持するものとし、被支持体１０の表面に直接画用紙を張り付けたり留めたりしてもよい。また被支持体１０に載置台を設け、その載置台にキャンバスを載置するようにしてもよい。
【００４４】
また、スタンド１は、卓上鏡として使用してもよい。この場合、例えば図８及び図９に示すように被支持体１０の表面に鏡板６０を配置し、裏面に裏板６１を配置し、裏板６１に面ファスナー３１を取り付けてもよい。また図１０に示すように被支持体１０の裏板６１を鉄板５０とし支持部２６にマグネット５１を設けてもよい。
【００４５】
本考案のスタンドは、支持体が被支持体を起立姿勢で支持するものであればよく、上記実施の形態のものに限定されない。例えば被支持体１０は、フォトフレーム、フォトボックス、掲示板、カレンダーなどであってもよい。
【００４６】
図１１には、被支持体１０がフォトボックスの場合のスタンドの例を示す。この場合、被支持体１０は、例えば矩形枠７０、透明板７１及び背板７２から構成されている。このように被支持体１０は、複数の部材から構成された厚みのある板状のものであってもよい。また、被支持体１０は、方形のものに限られず他の形状のものであってもよい。
【産業上の利用可能性】
【００４７】
本考案は、被支持体の起立姿勢の角度調整を十分に行うことができ、なおかつ持ち運びしやすいスタンドを提供する際に有用である。
【符号の説明】
【００４８】
１  スタンド
１０  被支持体
１１  支持体
２０  固定部
２１  第１の屈曲部
２２  第１の接続部
２３  第２の屈曲部
２４  第２の接続部
２５  第３の屈曲部
２６  支持部
３０  面ファスナー
３１  面ファスナー
Ｘ  起立方向
【図１】
0003226426.tif 000003
【図２】
0003226426.tif 000004
【図３】
0003226426.tif 000005
【図４】
0003226426.tif 000006
【図５】
0003226426.tif 000007
【図６】
0003226426.tif 000008
【図７】
0003226426.tif 000009
【図８】
0003226426.tif 000010
【図９】
0003226426.tif 000011
【図１０】
0003226426.tif 000012
【図１１】
0003226426.tif 000013